【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】
所定の始動条件に基づいて、変動可能な複数の図柄の表示状態を表示する可変表示手段と、該複数の図柄の表示結果が予め定められた当選停止態様で停止すると当たりとなる図柄合わせゲーム実行手段を有する遊技機において、
該遊技機の制御部は、あと１つ所定の図柄が揃うと前記当選停止態様になるリーチ状態の出現を予告するリーチ予告手段を有し、該リーチ予告手段は、前記図柄合わせゲームの実行結果として前記リーチ状態を構成する図柄数よりも少ない所定数の特定図柄を含む外れの停止態様が複数回連続して出現しかつ前記外れの停止態様に含まれる前記特定図柄の出現箇所の変化が所定の規則に従っている状態を形成することで、前記リーチ状態の出現を遊技者に予告することを特徴とする遊技機。
【請求項２】
所定の始動条件に基づいて、変動可能な複数の図柄の表示状態を表示する可変表示手段と、該複数の図柄の表示結果が予め定められた当選停止態様で停止すると当たりとなる図柄合わせゲーム実行手段を有する遊技機において、
該遊技機の制御部は、前記当たりの出現を予告する当選予告手段を有し、該当選予告手段は、前記図柄合わせゲームの実行結果として前記当選停止態様を構成する図柄数よりも少ない所定数の特定図柄を含む外れの停止態様が複数回連続して出現しかつ前記外れの停止態様に含まれる前記特定図柄の出現箇所の変化が所定の規則に従っている状態を形成することで、前記当たりの出現を遊技者に予告することを特徴とする遊技機。
【請求項３】
所定の始動条件に基づいて、変動可能な複数の図柄の表示状態を表示する可変表示手段と、該複数の図柄の表示結果が予め定められた当選停止態様で停止すると当たりとなる図柄合わせゲーム実行手段を有する遊技機において、
該遊技機の制御部は、、あと１つ所定の図柄が揃うと前記当選停止態様になるリーチ状態の出現を予告するリーチ予告手段と、前記当たりの出現を予告する当選予告手段とを含み、
前記リーチ予告手段は、前記図柄合わせゲームの実行結果として前記リーチ状態を構成する図柄数よりも少ない所定数の特定図柄を含む外れの停止態様が複数回連続して出現しかつ前記外れの停止態様に含まれる前記特定図柄の出現箇所の変化が所定の規則に従っている状態を形成することで、前記リーチ状態の出現を遊技者に予告するとともに、
前記当選予告手段は、前記リーチ予告手段による予告の後に出現するリーチ状態として所定図柄で構成されるものが複数回連続して出現しかつ前記所定図柄の出現箇所の変化が予め定めた出現規則に従っている状態を形成することで、前記当たりの出現を遊技者に予告することを特徴とする遊技機。
【請求項４】
前記図柄合わせゲーム実行手段は、前記予告が行われたときその予告内容に従う実行結果を必ず出現させることを特徴とする請求項１、２または３に記載の遊技機。
【請求項５】
前記予告に用いる特定図柄は、絵柄部分と文字部分とを組合わせた複合図柄であることを特徴とする請求項１、２、３または４に記載の遊技機。
【手続補正２】
【補正対象書類名】明細書
【補正対象項目名】０００６
【補正方法】変更
【補正の内容】
【０００６】
本発明は、このような従来の技術が有する問題点に着目してなされたもので、遊技者の当たり等に対する期待感を長い時間かけて徐々に喚起することができるとともに、その期待感を裏切らない遊技機および当たりの出現パターンが変化に富む遊技機を提供することを目的としている。
【手続補正３】
【補正対象書類名】明細書
【補正対象項目名】０００７
【補正方法】変更
【補正の内容】
【０００７】
【課題を解決するための手段】
かかる目的を達成するための本発明の要旨とするところは、次の各項の発明に存する。
［１］所定の始動条件に基づいて、変動可能な複数の図柄の表示状態を表示する可変表示手段（３０）と、該複数の図柄の表示結果が予め定められた当選停止態様で停止すると当たりとなる図柄合わせゲーム実行手段（１１０）を有する遊技機（１０）において、
該遊技機（１０）の制御部（１００）は、あと１つ所定の図柄が揃うと前記当選停止態様になるリーチ状態の出現を予告するリーチ予告手段（１２０）を有し、該リーチ予告手段（１２０）は、前記図柄合わせゲームの実行結果として前記リーチ状態を構成する図柄数よりも少ない所定数の特定図柄を含む外れの停止態様が複数回連続して出現しかつ前記外れの停止態様に含まれる前記特定図柄の出現箇所の変化が所定の規則に従っている状態を形成することで、前記リーチ状態の出現を遊技者に予告することを特徴とする遊技機（１０）。
【手続補正４】
【補正対象書類名】明細書
【補正対象項目名】０００８
【補正方法】変更
【補正の内容】
【０００８】
［２］所定の始動条件に基づいて、変動可能な複数の図柄の表示状態を表示する可変表示手段（３０）と、該複数の図柄の表示結果が予め定められた当選停止態様で停止すると当たりとなる図柄合わせゲーム実行手段（１１０）を有する遊技機（１０）において、
該遊技機（１０）の制御部（１００）は、前記当たりの出現を予告する当選予告手段（１３０）を有し、該当選予告手段（１３０）は、前記図柄合わせゲームの実行結果として前記当選停止態様を構成する図柄数よりも少ない所定数の特定図柄を含む外れの停止態様が複数回連続して出現しかつ前記外れの停止態様に含まれる前記特定図柄の出現箇所の変化が所定の規則に従っている状態を形成することで、前記当たりの出現を遊技者に予告することを特徴とする遊技機（１０）。
【手続補正５】
【補正対象書類名】明細書
【補正対象項目名】０００９
【補正方法】変更
【補正の内容】
【０００９】
［３］所定の始動条件に基づいて、変動可能な複数の図柄の表示状態を表示する可変表示手段（３０）と、該複数の図柄の表示結果が予め定められた当選停止態様で停止すると当たりとなる図柄合わせゲーム実行手段（１１０）を有する遊技機（１０）において、
該遊技機（１０）の制御部（１００）は、、あと１つ所定の図柄が揃うと前記当選停止態様になるリーチ状態の出現を予告するリーチ予告手段（１２０）と、前記当たりの出現を予告する当選予告手段（１３０）とを含み、
前記リーチ予告手段（１２０）は、前記図柄合わせゲームの実行結果として前記リーチ状態を構成する図柄数よりも少ない所定数の特定図柄を含む外れの停止態様が複数回連続して出現しかつ前記外れの停止態様に含まれる前記特定図柄の出現箇所の変化が所定の規則に従っている状態を形成することで、前記リーチ状態の出現を遊技者に予告するとともに、
前記当選予告手段（１３０）は、前記リーチ予告手段（１２０）による予告の後に出現するリーチ状態として所定図柄で構成されるものが複数回連続して出現しかつ前記所定図柄の出現箇所の変化が予め定めた出現規則に従っている状態を形成することで、前記当たりの出現を遊技者に予告することを特徴とする遊技機（１０）。
【手続補正６】
【補正対象書類名】明細書
【補正対象項目名】００１１
【補正方法】変更
【補正の内容】
【００１１】
［５］前記予告に用いる特定図柄は、絵柄部分（３２２）と文字部分（３２１）とを組合わせた複合図柄（４０１）であることを特徴とする［１］、［２］、［３］または［４］に記載の遊技機（１０）。
【手続補正７】
【補正対象書類名】明細書
【補正対象項目名】００１７
【補正方法】変更
【補正の内容】
【００１７】
このようにリーチ状態の出現を予告し、さらにそのリーチ状態の出現態様の遷移によって当たりの出現を予告するので、遊技者の当たりへの期待感を長い時間をかけて徐々に喚起することができる。
【手続補正８】
【補正対象書類名】明細書
【補正対象項目名】００３９
【補正方法】変更
【補正の内容】
【００３９】
このような図柄合わせゲームの実行過程で、あと１つ所定の図柄が揃うと当たりになるリーチ状態を出現させるときは、その前の複数回にわたる図柄合わせゲームにおいてその実行結果が所定の規則に従って現れるように制御される。すなわち、リーチ予告手段１２０は、図４に示すように、特定図柄（ここでは絵柄背負い型の複合図柄４０１）が１つだけ含まれる外れの停止態様を複数回連続して出現させるとともに、その際、特定図柄（複合図柄４０１）の出現箇所が所定の変化規則に従って遷移するようにする。
【手続補正９】
【補正対象書類名】明細書
【補正対象項目名】００４０
【補正方法】変更
【補正の内容】
【００４０】
たとえば、図４の例では、左端に特定図柄（複合図柄４０１）を含む実行結果４１０、中央に特定図柄（複合図柄４０１）を含む実行結果４１１、右端に特定図柄（複合図柄４０１）を含む実行結果４１２、中央に特定図柄（複合図柄４０１）を含む実行結果４１３、右端に特定図柄（複合図柄４０１）を含む実行結果４１４の順に、５回連続して規則正しく外れの停止態様を出現させることで、リーチ状態の出現を予告している。
【手続補正１０】
【補正対象書類名】明細書
【補正対象項目名】００４１
【補正方法】変更
【補正の内容】
【００４１】
図５の例では、特定図柄（複合図柄４０１）が右端から左端へ、さらに左端から右端へ戻るように規則正しく移動するように外れの停止態様が５回連続して現れたとき、リーチ状態の出現予告が完了するようになっている。また図６の例では特定図柄（複合図柄４０１）が所定回数（ここでは３回）連続して同一の箇所に出現することでリーチ状態の出現予告を行っている。リーチ状態の出現予告は、これらのように各種を用意しても良いし、１つの出現パターンだけに限定してもよい。
【手続補正１１】
【補正対象書類名】明細書
【補正対象項目名】００４２
【補正方法】変更
【補正の内容】
【００４２】
このように規則正しく特定図柄（複合図柄４０１）が出現して、リーチ状態の出現予告が完了すると、図柄合わせゲーム実行手段１１０は、次回の図柄合わせゲームでリーチ状態を出現させる。なお図７、図８に示すように、途中で特定図柄（複合図柄４０１）が規則正しい位置に出現しなかったり、図示していないが特定図柄（複合図柄４０１）の含まれない実行結果が停止表示された場合には、リーチ状態の予告は完了せず、以後にリーチ状態は出現しない。なお、図７、図８の点線で示した矢印７０１、８０１は、リーチ状態の予告としての正しい特定図柄（複合図柄４０１）の移動方向を示している。
【手続補正１２】
【補正対象書類名】明細書
【補正対象項目名】００４３
【補正方法】変更
【補正の内容】
【００４３】
当選予告手段１３０は、上述のようなリーチ予告を経て出現する各回のリーチ状態を、所定の規則に従う態様で複数回連続的に出現させることで、当たりの出現予告を行う。たとえば、図９に示すように特定図柄（複合図柄４０１）が左端の２つに出現するリーチ状態を経由した外れの状態９０１、特定図柄（複合図柄４０１）が中央と右端の２つに出現するリーチ状態を経由した外れの状態９０２、特定図柄（複合図柄４０１）が左端の２つに出現するリーチ状態を経由した外れの状態９０３の順に、リーチを含む外れ状態を出現させることで、当たりの出現予告を行っている。
【手続補正１３】
【補正対象書類名】明細書
【補正対象項目名】００４４
【補正方法】変更
【補正の内容】
【００４４】
図１０の例では、特定図柄（複合図柄４０１）が左端の２箇所に出現するリーチ状態を経た外れの状態１００１を３回連続に出現させることで当たりの出現予告を行っている。
【手続補正１４】
【補正対象書類名】明細書
【補正対象項目名】００４５
【補正方法】変更
【補正の内容】
【００４５】
図１１の例では、特定図柄（複合図柄４０１）が右端の２つに出現するリーチ状態を経由した外れの状態１１０１、特定図柄（複合図柄４０１）が中央と左端の２つに出現するリーチ状態を経由した外れの状態１１０２、特定図柄（複合図柄４０１）が再び右端の２箇所に出現するリーチ状態を経由した外れの状態１１０３の順に、リーチを含む外れ状態を出現させることで、当たりの出現予告を行っている。
【手続補正１５】
【補正対象書類名】明細書
【補正対象項目名】００４６
【補正方法】変更
【補正の内容】
【００４６】
このようにして当たりの出現予告が完了すると、図柄合わせゲーム実行手段１１０は、その次に出現するリーチ状態を必ず当たりに遷移させる。なお、図１２に示すように、途中で２つの特定図柄（複合図柄４０１）の出現箇所が出現パターン遷移規則に従って正しく遷移しない場合や、図示していないが特定図柄（複合図柄４０１）以外の図柄でリーチ状態が出現したような場合には、当たりの出現予告は完了せず、当たりは出現しない。なお、図１２の点線矢印１２０１は、当たりの出現予告としての正しい特定図柄（複合図柄４０１）の移動方向を示している。
【手続補正１６】
【補正対象書類名】明細書
【補正対象項目名】００５１
【補正方法】変更
【補正の内容】
【００５１】
このように特定図柄として、文字部分と絵柄部分とを組み合わせた複合図柄を用いるので、当たりの出現パターンが多様化し、遊技の面白みをさらに増すことができる。
【手続補正１７】
【補正対象書類名】明細書
【補正対象項目名】００５３
【補正方法】変更
【補正の内容】
【００５３】
さらに、停止態様の出現パターンの遷移は、特定図柄（複合図柄）の出現位置が遷移するようなものに限定されず、何らかの規則に従って実行結果が複数回にわたって連続的に出現するものであればよい。たとえば、１回目に数字のみの図柄で外れが出現し、２回目に絵柄のみの図柄で外れが出現し、３回目に数字と絵柄の複合図柄で外れが出現すること等、リーチ状態の出現予告としても良い。
【手続補正１８】
【補正対象書類名】明細書
【補正対象項目名】００５４
【補正方法】変更
【補正の内容】
【００５４】
このほか実施の形態では、３つの図柄を揃える図柄合わせゲームを展開したが、表示領域の数を増やし、４つあるいは５つの図柄を揃えるようなものであってもよい。このような場合には、リーチ状態の予告は、リーチ状態を構成する図柄数よりも少ない所定数の特定図柄（複合図柄）を出現させて行う。また当たりの予告は、当たりを構成する図柄数よりも少ない所定数の特定図柄（複合図柄）を出現させて行う。たとえば、当たりを構成する図柄数が５個の場合には、３つ以下の特定図柄（複合図柄）を用いてリーチ予告を行い、当選予告は４つ以下の特定図柄（複合図柄）を用いて行うことになる。
【手続補正１９】
【補正対象書類名】明細書
【補正対象項目名】００５６
【補正方法】変更
【補正の内容】
【００５６】
【発明の効果】
本発明にかかるに遊技機によれば、図柄合わせゲームの実行結果が複数回にわたってどのように遷移するかによってリーチ状態や当たりの出現を遊技者に予告するので、遊技者の当たり等に対する期待感を長い時間をかけて徐々に喚起することができる。また、当たりの出現時期が近づいているにもかかわらず遊技者が遊技を途中でやめてしまうような事態を防止することができる。
【手続補正２０】
【補正対象書類名】明細書
【補正対象項目名】００５８
【補正方法】変更
【補正の内容】
【００５８】
また複数の図柄の表示状態を表示する可変表示手段に図柄を文字部分と絵柄部分とを組み合わせた複合図柄として用いることにより、当たりの出現パターンが多様化し、遊技の面白みを増すことができる。
【手続補正２１】
【補正対象書類名】明細書
【補正対象項目名】符号の説明
【補正方法】変更
【補正の内容】
【符号の説明】
１０…遊技機
３０…可変表示手段
５０…保留玉表示部
６０…始動入賞口
８０…可変入賞口
９０…賞球払出手段
１００…制御部
１１０…図柄合わせゲーム実行手段
１２０…リーチ予告手段
１３０…当選予告手段
１４０…保留管理手段
１５０…特別価値付与制御手段
３２０ａ…絵柄背負い型複合図柄
３２０ｂ…数字背負い型複合図柄
３２１…数字部
３２２…絵柄部
４０１…特定図柄（複合図柄）